(57)【要約】【課題】デジタル放送等のテレビジョン受信機能を有する映像表示装置において、ユーザからの選局指示に従って選局動作中の間、内蔵メモリから各種の映像情報を取得して画面表示する。【解決手段】映像表示装置１０は、アンテナ１１から入力されるデジタル放送信号をユーザによる選局指示に従って選局するチューナ部１２と、選局したデジタル放送信号を映像情報にデコードするデコーダ部１４と、デコードした映像情報を表示するディスプレイ１７と、ユーザによる選局指示の入力を受け付けるリモコン２１と、ディスプレイ１７に表示するための他の映像情報を蓄積した映像情報メモリ１９ａと、蓄積した他の映像情報をディスプレイ１７に出力する映像情報出力部１９とを有する。映像表示装置１０は、リモコン２１に入力された選局指示に従って選局動作中の間、映像情報出力部１９が映像情報メモリ１９ａに蓄積されている他の映像情報をディスプレイ１７に出力する。【選択図】図１
2005101680.tif 000002
【特許請求の範囲】
【請求項１】
アンテナから入力されるデジタル放送信号をユーザによる選局指示に従って選局するチューナ部と、該選局したデジタル放送信号を映像情報にデコードするデコーダ部と、該デコードした映像情報を画面上に表示する表示部とを有する映像表示装置において、ユーザによる選局指示の入力を受け付ける選局指示入力部と、前記表示部の画面上に表示するための他の映像情報を蓄積した蓄積部と、該蓄積部に蓄積した他の映像情報を前記表示部に出力する映像情報出力部とを有し、前記選局指示入力部に入力された選局指示に従って前記映像表示装置が選局動作中の間、前記映像情報出力部が前記蓄積部の他の映像情報を前記表示部に出力することを特徴とする映像表示装置。
【請求項２】
請求項１に記載の映像表示装置において、該映像表示装置が選局動作中であることを示す映像情報を他の映像情報として前記蓄積部に蓄積して有し、前記選局指示入力部に入力された選局指示に従って前記映像表示装置が選局動作中の間、前記映像情報出力部は、前記蓄積部の前記映像表示装置が選局動作中であることを示す映像情報を前記表示部に出力することを特徴とする映像表示装置。
【請求項３】
請求項１又は２に記載の映像表示装置において、ＥＰＧ（Ｅｌｅｃｔｒｏｎｉｃ  Ｐｒｏｇｒａｍ  Ｇｕｉｄｅ）を他の映像情報として前記蓄積部に蓄積して有し、前記選局指示入力部に入力された選局指示に従って前記映像表示装置が選局動作中の間、前記映像情報出力部は、前記蓄積部のＥＰＧを前記表示部に出力することを特徴とする映像表示装置。
【請求項４】
請求項１乃至３のいずれか１に記載の映像表示装置において、データ放送のコンテンツを他の映像情報として前記蓄積部に蓄積して有し、前記選局指示入力部に入力された選局指示に従って前記映像表示装置が選局動作中の間、前記映像情報出力部は、前記蓄積部のデータ放送のコンテンツを前記表示部に出力することを特徴とする映像表示装置。
【請求項５】
請求項１乃至４のいずれか１に記載の映像表示装置において、音声情報を蓄積した音声情報蓄積部と、スピーカと、前記音声情報蓄積部に蓄積した音声情報を再生して前記スピーカに出力する音声情報出力部とを有し、前記選局指示入力部に入力された選局指示に従って前記映像表示装置が選局動作中の間、前記音声情報出力部は、前記音声情報蓄積部の音声情報を再生して前記スピーカに出力することを特徴とする映像表示装置。
【請求項６】
請求項１乃至５のいずれか１に記載の映像表示装置において、２次元の映像情報を３次元の映像情報に変換する３次元変換部を有し、前記選局指示入力部に入力された選局指示に従って前記映像表示装置が選局動作中の間、前記３次元変換部が前記蓄積部の他の映像情報を３次元の映像情報に変換し、前記映像情報出力部は、前記３次元変換部によって変換された３次元の映像情報を前記表示部に出力することを特徴とする映像表示装置。
【請求項７】
請求項１乃至６のいずれか１に記載の映像表示装置において、前記表示部に対する各種設定を可能とする設定情報と前記蓄積部の他の映像情報とを合成し、該合成した情報を画面上に表示出力するためのＯＳＤ（Ｏｎ  Ｓｃｒｅｅｎ  Ｄｉｓｐｌａｙ）処理部を有し、前記選局指示入力部に入力された選局指示に従って前記映像表示装置が選局動作中の間、前記映像情報出力部は、前記ＯＳＤ処理部によって合成された情報を前記表示部の画面上に出力することを特徴とする映像表示装置。
【請求項８】
請求項１乃至７のいずれか１に記載の映像表示装置において、各種の映像情報を蓄積した記録媒体又は機器を着脱可能に接続するための外部入力インタフェイスを有し、前記選局指示入力部に入力された選局指示に従って前記映像表示装置が選局動作中の間、前記映像情報出力部は、前記外部入力インタフェイスに接続された外部記録媒体又は機器の映像情報を前記表示部に出力することを特徴とする映像表示装置。
【請求項９】
請求項１乃至８のいずれか１に記載の映像表示装置において、前記選局指示入力部に入力された選局指示に従って前記映像表示装置が選局動作中の間、前記蓄積部又は外部記録媒体の他の映像情報を前記表示部に出力した場合、前記映像情報出力部は、ユーザからの操作入力に従って、前記選局動作の終了後も選局対象の映像情報を表示させずに、前記他の映像情報を前記表示部に継続して表示出力できるようにしたことを特徴とする映像表示装置。
【請求項１０】
請求項９に記載の映像表示装置において、前記選局指示入力部に入力された選局指示に従って前記映像表示装置が選局動作中の間、前記蓄積部又は外部記録媒体の他の映像情報を前記表示部に出力した場合、前記映像情報出力部は、ユーザからの操作入力に従って、前記選局動作の終了後も選局対象の映像情報を表示させずに、前記他の映像情報と異なる映像情報を前記蓄積部又は外部記録媒体から選択して前記表示部に表示出力できるようにしたことを特徴とする映像表示装置。
【請求項１１】
請求項９又は１０に記載の映像表示装置において、前記選局指示入力部に入力された選局指示に従って前記映像表示装置が選局動作中の間、前記蓄積部又は外部記録媒体の他の映像情報を前記表示部に出力した場合、前記映像情報出力部は、ユーザからの操作入力に従って、前記他の映像情報の画面表示をキャンセルできるようにしたことを特徴とする映像表示装置。
【請求項１２】
請求項９乃至１１のいずれか１に記載の映像表示装置において、前記選局指示入力部に入力された選局指示に従って前記映像表示装置が選局動作中の間、前記蓄積部又は外部記録媒体の他の映像情報を前記表示部に出力した場合、前記映像情報出力部は、ユーザからの操作入力に従って、前記選局指示をキャンセルできるようにしたことを特徴とする映像表示装置。
【請求項１３】
請求項９乃至１２のいずれか１に記載の映像表示装置において、前記選局指示入力部に入力された選局指示に従って前記映像表示装置が選局動作中の間、前記蓄積部又は外部記録媒体の他の映像情報を前記表示部に出力した場合、さらに次の選局指示が入力されると、前記映像情報出力部は、前記蓄積部又は外部記録媒体に蓄積されている他の映像情報を選択して前記表示部に出力することを特徴とする映像表示装置。
【請求項１４】
請求項１３に記載の映像表示装置において、前記選局指示入力部に入力された選局指示に従って前記映像表示装置が選局動作中の間、前記蓄積部又は外部記録媒体の他の映像情報を前記表示部に出力した場合、さらに次の選局指示が入力されると、前記映像情報出力部は、前記他の映像情報が出力される前に選局され且つ表示されていた映像情報を前記表示部に出力することを特徴とする映像表示装置。
【請求項１５】
請求項６乃至１４のいずれか１に記載の映像表示装置において、前記３次元変換部は、前記チューナ部の選局動作に応じた映像情報と、該選局動作の直前に選局された映像情報とに対して、前記表示部における表示形態が異なるように３次元変換を行うことを特徴とする映像表示装置。
【請求項１６】
請求項１乃至１５のいずれか１に記載の映像表示装置において、前記蓄積部又は外部記録媒体に蓄積されている他の映像情報を前記チューナ部の選局毎に異なるように設定する映像情報設定部を有し、前記映像情報出力部は、前記選局指示入力部に入力された選局指示に従って前記映像表示装置が選局動作中の間、前記映像情報設定部の設定内容に従って、前記蓄積部又は外部記録媒体に蓄積されている他の映像情報を前記表示部に出力することを特徴とする映像表示装置。
【請求項１７】
請求項１乃至１６のいずれか１に記載の映像表示装置において、前記映像情報出力部は、前記選局指示入力部に入力された選局指示に従って前記映像表示装置が選局動作中の間、前記蓄積部又は外部記録媒体に蓄積されている他の映像情報を壁紙として前記表示部に出力することを特徴とする映像表示装置。
【請求項１８】
請求項１乃至１７のいずれか１に記載の映像表示装置において、選局時に選局可能なチャンネルの一覧を前記表示部の画面上に表示し、該画面上に表示したチャンネル一覧の中からユーザが所望のチャンネルにカーソルを合わせた時点で、前記選局指示入力部に当該チャンネルの選局指示が入力され、該入力された選局指示に応じて前記チューナ部が選局動作を開始することを特徴とする映像表示装置。
【請求項１９】
請求項１８に記載の映像表示装置において、前記チューナ部が選局動作を開始すると同時に、前記映像情報出力部は、前記選局動作が開始されたチャンネルの番組詳細情報を前記表示部の画面上に出力することを特徴とする映像表示装置。
【発明の詳細な説明】
【技術分野】
【０００１】
本発明は、映像表示装置、より詳細には、デジタル放送等のテレビジョン受信機能を備えた映像表示装置に関するものである。
【背景技術】
【０００２】
従来、デジタル放送受信機では、映像デコード自体に時間がかかり、番組の映像はすぐには画面表示されないため、チャンネル切り換え時、すなわち選局時には画面上に何も表示されない表示待ちの時間が生じるという問題があった。
そこで、例えば、特許文献１では、実際に映像が出画されるまでに映像デコーダを通った画像を記憶しておき、チャンネル切り換え動作中にその記憶した画像を表示するテレビジョン受信機が提案されている。また、特許文献２では、選局動作中の画面表示方法として、チャンネル切り換え前の静止画像が徐々に小さくなり、所望のチャンネルの動画像が徐々に大きくなり、最後にその所望のチャンネルの画像が画面全体に表示されるテレビジョン受信機が提案されている。
【特許文献１】特開２０００−４１１９７号公報
【特許文献２】特開平９−１３５３９４号公報
【発明の開示】
【発明が解決しようとする課題】
【０００３】
しかしながら、上記特許文献１に記載の発明は、映像の静止画を複数記憶する記憶装置を持たせることにより、チャンネル切り換え時に、映像デコーダを介して画像メモリに記憶していた画像を表示するようにしたものであるため、チャンネル切り換え時に表示する画像は過去に映像デコーダを通った画像のみであり、外部から入力した画像やＥＰＧなど複数種類の画像を表示することはできない。
【０００４】
また、上記特許文献２に記載の発明は、動画処理部でチャンネル切り換え後の動画像が大きくなっていく数枚の画像を作り、静止画像処理部でチャンネル切り換え前の静止画像が徐々に小さくなっていく数枚の画像を作る。それらの画像出力とＭＰＥＧデコーダからの出力をスイッチ回路へ供給する。チャンネル切り換え時に、コントローラでスイッチ回路を制御し、上記静止画像処理部の出力と、動画処理部の出力と、ＭＰＥＧデコーダの出力とをディスプレイへ映し出すことで、チャンネル切り換え前の静止画像が徐々に小さくなり、所望のチャンネルの動画像が徐々に大きくなり、最後に所望のチャンネルの画像がディスプレイに映るようにしたものであるが、これによって、チャンネルの移り変わりを把握することができるが、例えば、表示するディスプレイが小さい場合、２次元的な画面の移り変わりでは表示画面の大きさの区別がつきにくいため、チャンネル切り換えの状況を把握しづらいことが考えられる。したがって、チャンネル切り換えという限られた時間内に、ユーザがより把握しやすい画面表示をする必要がある。
【０００５】
本発明は、上述のごとき実情に鑑みてなされたものであり、デジタル放送等のテレビジョン受信機能を有する映像表示装置において、ユーザからの選局指示に従って選局動作中の間、内部又は外部のメモリから各種の映像情報（ＥＰＧやデータ放送のコンテンツなど）を取得して画面表示できるようにすること、を目的としてなされたものである。
【０００６】
また、映像表示装置に３次元変換回路を備えることにより、選局前の画像及び選局後の画像に対して、立体的な３次元画像により画面遷移がわかるように画面表示できるようにすること、を目的としてなされたものである。
【課題を解決するための手段】
【０００７】
上記課題を解決するために、第１の技術手段は、アンテナから入力されるデジタル放送信号をユーザによる選局指示に従って選局するチューナ部と、該選局したデジタル放送信号を映像情報にデコードするデコーダ部と、該デコードした映像情報を画面上に表示する表示部とを有する映像表示装置において、ユーザによる選局指示の入力を受け付ける選局指示入力部と、前記表示部の画面上に表示するための他の映像情報を蓄積した蓄積部と、該蓄積部に蓄積した他の映像情報を前記表示部に出力する映像情報出力部とを有し、前記選局指示入力部に入力された選局指示に従って前記映像表示装置が選局動作中の間、前記映像情報出力部が前記蓄積部の他の映像情報を前記表示部に出力することを特徴としたものである。
【０００８】
第２の技術手段は、第１の技術手段において、該映像表示装置が選局動作中であることを示す映像情報を他の映像情報として前記蓄積部に蓄積して有し、前記選局指示入力部に入力された選局指示に従って前記映像表示装置が選局動作中の間、前記映像情報出力部は、前記蓄積部の前記映像表示装置が選局動作中であることを示す映像情報を前記表示部に出力することを特徴としたものである。
【０００９】
第３の技術手段は、第１又は第２の技術手段において、ＥＰＧ（Ｅｌｅｃｔｒｏｎｉｃ  Ｐｒｏｇｒａｍ  Ｇｕｉｄｅ）を他の映像情報として前記蓄積部に蓄積して有し、前記選局指示入力部に入力された選局指示に従って前記映像表示装置が選局動作中の間、前記映像情報出力部は、前記蓄積部のＥＰＧを前記表示部に出力することを特徴としたものである。
【００１０】
第４の技術手段は、第１乃至第３のいずれか１の技術手段において、データ放送のコンテンツを他の映像情報として前記蓄積部に蓄積して有し、前記選局指示入力部に入力された選局指示に従って前記映像表示装置が選局動作中の間、前記映像情報出力部は、前記蓄積部のデータ放送のコンテンツを前記表示部に出力することを特徴としたものである。
【００１１】
第５の技術手段は、第１乃至第４のいずれか１の技術手段において、音声情報を蓄積した音声情報蓄積部と、スピーカと、前記音声情報蓄積部に蓄積した音声情報を再生して前記スピーカに出力する音声情報出力部とを有し、前記選局指示入力部に入力された選局指示に従って前記映像表示装置が選局動作中の間、前記音声情報出力部は、前記音声情報蓄積部の音声情報を再生して前記スピーカに出力することを特徴としたものである。
【００１２】
第６の技術手段は、第１乃至第５のいずれか１の技術手段において、２次元の映像情報を３次元の映像情報に変換する３次元変換部を有し、前記選局指示入力部に入力された選局指示に従って前記映像表示装置が選局動作中の間、前記３次元変換部が前記蓄積部の他の映像情報を３次元の映像情報に変換し、前記映像情報出力部は、前記３次元変換部によって変換された３次元の映像情報を前記表示部に出力することを特徴としたものである。
【００１３】
第７の技術手段は、第１乃至第６のいずれか１の技術手段において、前記表示部に対する各種設定を可能とする設定情報と前記蓄積部の他の映像情報とを合成し、該合成した情報を画面上に表示出力するためのＯＳＤ（Ｏｎ  Ｓｃｒｅｅｎ  Ｄｉｓｐｌａｙ）処理部を有し、前記選局指示入力部に入力された選局指示に従って前記映像表示装置が選局動作中の間、前記映像情報出力部は、前記ＯＳＤ処理部によって合成された情報を前記表示部の画面上に出力することを特徴としたものである。
【００１４】
第８の技術手段は、第１乃至第７のいずれか１の技術手段において、各種の映像情報を蓄積した記録媒体又は機器を着脱可能に接続するための外部入力インタフェイスを有し、前記選局指示入力部に入力された選局指示に従って前記映像表示装置が選局動作中の間、前記映像情報出力部は、前記外部入力インタフェイスに接続された外部記録媒体又は機器の映像情報を前記表示部に出力することを特徴としたものである。
【００１５】
第９の技術手段は、第１乃至第８のいずれか１の技術手段において、前記選局指示入力部に入力された選局指示に従って前記映像表示装置が選局動作中の間、前記蓄積部又は外部記録媒体の他の映像情報を前記表示部に出力した場合、前記映像情報出力部は、ユーザからの操作入力に従って、前記選局動作の終了後も選局対象の映像情報を表示させずに、前記他の映像情報を前記表示部に継続して表示出力できるようにしたことを特徴としたものである。
【００１６】
第１０の技術手段は、第９の技術手段において、前記選局指示入力部に入力された選局指示に従って前記映像表示装置が選局動作中の間、前記蓄積部又は外部記録媒体の他の映像情報を前記表示部に出力した場合、前記映像情報出力部は、ユーザからの操作入力に従って、前記選局動作の終了後も選局対象の映像情報を表示させずに、前記他の映像情報と異なる映像情報を前記蓄積部又は外部記録媒体から選択して前記表示部に表示出力できるようにしたことを特徴としたものである。
【００１７】
第１１の技術手段は、第９又は第１０の技術手段において、前記選局指示入力部に入力された選局指示に従って前記映像表示装置が選局動作中の間、前記蓄積部又は外部記録媒体の他の映像情報を前記表示部に出力した場合、前記映像情報出力部は、ユーザからの操作入力に従って、前記他の映像情報の画面表示をキャンセルできるようにしたことを特徴としたものである。
【００１８】
第１２の技術手段は、第９乃至第１１のいずれか１の技術手段において、前記選局指示入力部に入力された選局指示に従って前記映像表示装置が選局動作中の間、前記蓄積部又は外部記録媒体の他の映像情報を前記表示部に出力した場合、前記映像情報出力部は、ユーザからの操作入力に従って、前記選局指示をキャンセルできるようにしたことを特徴としたものである。
【００１９】
第１３の技術手段は、第９乃至第１２のいずれか１の技術手段において、前記選局指示入力部に入力された選局指示に従って前記映像表示装置が選局動作中の間、前記蓄積部又は外部記録媒体の他の映像情報を前記表示部に出力した場合、さらに次の選局指示が入力されると、前記映像情報出力部は、前記蓄積部又は外部記録媒体に蓄積されている他の映像情報を選択して前記表示部に出力することを特徴としたものである。
【００２０】
第１４の技術手段は、第１３の技術手段において、前記選局指示入力部に入力された選局指示に従って前記映像表示装置が選局動作中の間、前記蓄積部又は外部記録媒体の他の映像情報を前記表示部に出力した場合、さらに次の選局指示が入力されると、前記映像情報出力部は、前記他の映像情報が出力される前に選局され且つ表示されていた映像情報を前記表示部に出力することを特徴としたものである。
【００２１】
第１５の技術手段は、第６乃至第１４のいずれか１の技術手段において、前記３次元変換部は、前記チューナ部の選局動作に応じた映像情報と、該選局動作の直前に選局された映像情報とに対して、前記表示部における表示形態が異なるように３次元変換を行うことを特徴としたものである。
【００２２】
第１６の技術手段は、第１乃至第１５のいずれか１の技術手段において、前記蓄積部又は外部記録媒体に蓄積されている他の映像情報を前記チューナ部の選局毎に異なるように設定する映像情報設定部を有し、前記映像情報出力部は、前記選局指示入力部に入力された選局指示に従って前記映像表示装置が選局動作中の間、前記映像情報設定部の設定内容に従って、前記蓄積部又は外部記録媒体に蓄積されている他の映像情報を前記表示部に出力することを特徴としたものである。
【００２３】
第１７の技術手段は、第１乃至第１６のいずれか１の技術手段において、前記映像情報出力部は、前記選局指示入力部に入力された選局指示に従って前記映像表示装置が選局動作中の間、前記蓄積部又は外部記録媒体に蓄積されている他の映像情報を壁紙として前記表示部に出力することを特徴としたものである。
【００２４】
第１８の技術手段は、第１乃至第１７のいずれか１の技術手段において、選局時に選局可能なチャンネルの一覧を前記表示部の画面上に表示し、該画面上に表示したチャンネル一覧の中からユーザが所望のチャンネルにカーソルを合わせた時点で、前記選局指示入力部に当該チャンネルの選局指示が入力され、該入力された選局指示に応じて前記チューナ部が選局動作を開始することを特徴としたものである。
【００２５】
第１９の技術手段は、第１８の技術手段において、前記チューナ部が選局動作を開始すると同時に、前記映像情報出力部は、前記選局動作が開始されたチャンネルの番組詳細情報を前記表示部の画面上に出力することを特徴としたものである。
【発明の効果】
【００２６】
本発明によると、デジタル放送等のテレビジョン受信機能を有する映像表示装置において、ユーザからの選局指示に従って選局動作中の間、内部又は外部のメモリから各種の映像情報（ＥＰＧやデータ放送のコンテンツなど）を取得して画面表示できるようにすることができるため、チャンネルが切り換わったときに番組内容を理解しやすくなると共に、選局動作に伴う出画待ち時間を有効に利用することができる。
【００２７】
また、映像表示装置に３次元変換回路を備えることにより、選局前の画像及び選局後の画像に対して、立体的な３次元画像により画面表示することができるため、ユーザが選局前と選局後とにおける画面の遷移を容易に把握することができる。
【発明を実施するための最良の形態】
【００２８】
図１は、本発明の一実施形態に係わる映像表示装置の内部構成例を説明するためのブロック図で、図中、１０は映像表示装置で、該映像表示装置１０は、アンテナ１１，チューナ部１２，Ａ／Ｄ変換部１３，デコーダ部１４，セレクタ部１５，Ｄ／Ａ変換部１６，ディスプレイ１７，主制御部１８，映像情報出力部１９，受光部２０，リモコン２１，操作入力部２２を備えているものとする。
【００２９】
チューナ部１２は、アンテナ１１から入力されるデジタル放送の受信信号をユーザによる選局指示に従って選局する。Ａ／Ｄ変換部１３は、チューナ部１２からのアナログ受信信号をデジタル受信信号に変換する。デコーダ部１４は、Ａ／Ｄ変換部１３でＡ／Ｄ変換されたデジタル受信信号をデジタル映像信号にデコードする。さらに、Ｄ／Ａ変換部１６は、デコーダ部１４でデコードされたデジタル映像信号をアナログ映像信号に変換する。ディスプレイ１７は、Ｄ／Ａ変換部１６でＤ／Ａ変換されたアナログ映像信号を画面上に表示する表示装置で、例えば、液晶ディスプレイや、プラズマディスプレイ、有機ＥＬディスプレイなどの薄型表示装置を好適に用いることができ、場合によっては、ＣＲＴディスプレイを用いることも可能である。
【００３０】
主制御部１８は、映像表示装置１０全体を制御するためのＣＰＵ１８ａ，制御プログラムやデータ等を記憶するためのＲＯＭ及びそのＲＯＭに記憶されている制御プログラムやデータ等を随時読み出して実行するための実行領域であるＲＡＭからなるメモリ１８ｂで構成されている。この主制御部１８には、ユーザが操作するリモコン２１から受光部２０を介して、あるいは各種操作キーを備えた操作入力部２２から操作指示情報が入力され、主制御部１８は、上記各操作入力手段によって入力された操作指示情報に従って各部を制御する。
【００３１】
ここで、デジタル放送等のチャンネル選局時において、チューナ部１２やデコーダ部１４での選局処理に時間がかかり、選局動作を行ってから映像がディスプレイ１７に出画されるまで約５秒程度の出画待ち時間が発生する。従って、本発明の映像表示装置１０では、上記出画待ち時間の間、以下に説明する映像情報出力部１９が、映像情報メモリ１９ａ、又は外部入力インタフェイス（以下、外部入力Ｉ／Ｆ）１９ｂに接続された記録媒体もしくは機器に予め蓄積されている映像情報をディスプレイ１７に出力する。この出力処理の切り換えはセレクタ部１５により行う。
【００３２】
映像情報出力部１９は、各種映像情報を蓄積したＲＡＭ又はＲＯＭ等からなる映像情報メモリ１９ａと、各種映像情報を蓄積したメモリカード等の記録媒体や、あるいは各種映像情報を蓄積したデジタルカメラ，デジタルカメラ付き携帯電話，ＰＣ，ＰＤＡ，ゲーム機等を含む情報機器を着脱可能に接続するための外部入力Ｉ／Ｆ１９ｂとから構成されている。
【００３３】
映像表示装置１０は、リモコン２１又は操作入力部２２に対して入力された選局指示に従って選局動作中の間、映像情報出力部１９が、映像情報メモリ１９ａ、又は外部入力Ｉ／Ｆ１９ｂに接続された記録媒体もしくは機器に予め蓄積されている映像情報をディスプレイ１７に出力する。ここで、外部入力Ｉ／Ｆ１９ｂに接続された記録媒体もしくは機器の映像情報を利用する場合、当該記録媒体もしくは機器に蓄積されている必要な映像情報を映像情報メモリ１９ａに記憶させておいて、映像情報メモリ１９ａから映像情報を読み出してディスプレイ１７に出力するようにしてもよい。
【００３４】
ここで、セレクタ部１５は、主制御部１８からの制御信号に従って、選局動作に応じた映像情報をデコーダ部１４から出力させる場合はａ点側に、映像情報出力部１９から映像情報を出力させる場合はｂ点側に選択的に切り換える処理を行う。具体例として、選局動作が行われていない状態では、セレクタ部１５は、ａ点側、すなわち、デコーダ部１４側に接続されている。主制御部１８がユーザによる選局指示を受信すると、主制御部１８は、チューナ１２に対して選局動作開始を指示すると共に、セレクタ部１５を映像情報出力部１９側（図中、ｂ点側）に切り換えて、映像情報出力部１９から映像情報を出力させてディスプレイ１７に表示させる。
【００３５】
また、デコーダ部１４において選局動作に伴うデコードが完了し、その選局したチャンネルのコンテンツ（映像情報）が表示可能な状態になった場合、デコーダ部１４から完了通知（信号）が主制御部１８に出力される。この完了通知を受けた主制御部１８は、セレクタ部１５をデコーダ部１４側（図中、ａ点側）に切り換えて、デコーダ部１４からの映像情報をディスプレイ１７に表示させる。
【００３６】
図１に示す映像表示装置１０において、チューナ部１２がユーザによる選局指示に従ってチャンネルを選局し、デコーダ部１４が映像のデコードを行う。映像情報メモリ１９ａには、例えば、映像表示装置１０が動作中であることを示す映像情報や、画面上で閲覧可能な電子番組表であるＥＰＧ、交通情報や天気予報などの各種データからなるデータ放送のコンテンツなどを予め蓄積しておく。この際、映像情報メモリ１９ａには、選局前までにデコーダ部１４から出力された映像情報を随時蓄積するようにしてもよく、また、外部入力Ｉ／Ｆ１９ｂに接続された記録媒体もしくは機器からの映像情報を蓄積するようにしてもよい。
【００３７】
チャンネル切り換え時において、チューナ部１２及びデコーダ部１４においてチャンネルの切り換え処理が行われるが、ともに処理時間がかかり、チャンネル切り換え動作を行ってから映像をディスプレイ１７へ出力するまでに時間、すなわち、チャンネル切り換えのための出画待ち時間が生じる。そこで、チューナ部１２やデコーダ部１４でのチャンネル切り換え処理を行っている間に、映像情報メモリ１９ａに予め蓄積しておいた、上記選局動作中であることを示す映像情報や、ＥＰＧ、データ放送のコンテンツなどの各種映像情報をディスプレイ１７に表示する。
【００３８】
本発明によると、チャンネル切り換え時に、選局動作中であることを示す情報を画面表示することで、映像表示装置が現在どういう状態にあるのかユーザが容易に理解することができ、ユーザに対して安心感を与えることができる。
【００３９】
また、チャンネル切り換え時に、ＥＰＧを画面表示することで、ユーザが希望するチャンネルを探すためのサポートをすることや、指定したチャンネルの内容を確認することができると共に、選局中のチャンネルの関連情報を表示することができるので、チャンネルが切り換わったときに番組内容を理解しやすくなる。
【００４０】
また、チャンネル切り換え時に、データ放送のコンテンツを画面表示することで、例えば、交通情報や天気予報のようにユーザが必要とする情報をタイムリー且つ容易に取得することができる。
【００４１】
さらには、メモリカードなどの外部記録媒体又はＰＣなどの外部機器から画像を取得することができるため、例えば、スケジュールやカレンダーなどのユーザが必要とする情報や、好きな画像などを選択して画面表示することができる。
【００４２】
このように、チャンネル切り換え時に上記した各画像を画面表示することで、チャンネル切り換え時に発生する出画待ち時間を有効利用することができる。
【００４３】
図２は、本発明の他の実施形態に係わる映像表示装置１０の内部構成例を説明するためのブロック図である。本実施形態の映像表示装置１０は、図１に示す構成に加えて、各種音声情報を蓄積した音声情報メモリ２３ａと、音声情報を出力するスピーカ２４と、音声情報メモリ２３ａに蓄積されている音声情報を再生してスピーカ２４に出力する音声情報出力部２３とを備えているものとする。
【００４４】
図２に示す映像表示装置１０において、チューナ部１２がユーザによる選局指示に従ってチャンネルを選局し、デコーダ部１４が映像のデコードを行う。音声情報メモリ２３ａには、例えば、映像表示装置１０が動作中であることを示す音声情報や、ユーザの好きな楽曲などを予め蓄積しておく。この際、映像情報メモリ１９ａには、外部入力Ｉ／Ｆ１９ｂに接続された記録媒体もしくは機器からの音声情報を蓄積するようにしてもよい。
【００４５】
チャンネル切り換え時において、チューナ部１２及びデコーダ部１４においてチャンネルの切り換え処理が行われるが、ともに処理時間がかかり、チャンネル切り換え動作を行ってから映像をディスプレイ１７へ出力するまでに時間、すなわち、チャンネル切り換えのための出画待ち時間が生じる。そこで、チューナ部１２やデコーダ部１４でのチャンネル切り換え処理を行っている間に、音声情報メモリ２３ａに予め蓄積しておいた、上記選局動作中であることを示す音声情報や、ユーザの好きな楽曲などの各種音声情報をスピーカ２４から出力する。
【００４６】
この場合、映像表示装置１０は、チャンネル切り換え時に、映像情報出力部１９の映像情報を画面表示せずに、音声情報出力部２３の音声情報のみを出力するようにしてもよく、また、映像情報出力部１９の映像情報と共に、その映像情報に応じた音声情報を音声情報出力部２３から出力するようにしてもよい。このときの出力の切り換え処理はセレクタ部１５が行う。
【００４７】
本実施形態のセレクタ部１５は、主制御部１８からの制御信号に従って、選局動作に応じた映像情報をデコーダ部１４から出力させる場合はａ点側に、映像情報出力部１９から映像情報を出力させる場合はｂ点側に、音声情報出力部２３から音声情報を出力させる場合はｃ点側に選択的に切り換える処理を行う。また、映像情報出力部１９から映像情報を出力させると共に、音声情報出力部２３から音声情報を出力させる場合にはｂ点及びｃ点同時に接続するように切り換え処理を行う。
【００４８】
本発明によると、チャンネル切り換え時に、映像情報のみならず、選局動作中であることを示す音声情報を出力することで、映像表示装置が現在どういう状態にあるのかユーザが容易に理解することができ、ユーザに対して安心感を与えることができる。
【００４９】
図３は、本発明の他の実施形態に係わる映像表示装置１０の内部構成例を説明するためのブロック図である。本実施形態の映像表示装置１０は、図２に示す構成に加えて、２次元の映像情報を３次元の映像情報に変換する３次元変換部２５を備えている。リモコン２１又は操作入力部２２に入力された選局指示に従って映像表示装置１０が選局動作中の間、３次元変換部２５が映像情報出力部１９の映像情報を３次元の映像情報に変換し、映像情報出力部１９は、３次元変換部２５によって変換された３次元の映像情報をディスプレイ１７に出力する。この３次元変換部２５は、プログラムとして主制御部１８のメモリ１８ｂ内に格納されており、３次元変換処理を行う際に、ＣＰＵ１８ａにより適宜読み出されて実行される。
【００５０】
また、３次元画像を表示するために、チューナ部１２やデコーダ部１４でチャンネル切り換え処理を行っている間、デコーダ部１４からの２次元の映像情報を３次元変換部２５によって３次元の映像情報へ変換し、ディスプレイ１７へ表示する構成としてもよい。
【００５１】
この場合、チューナ部１２やデコーダ部１４でチャンネル切り換え処理を行っている間に、ユーザが希望する画像を、外部入力Ｉ／Ｆ１９ｂに接続された記録媒体からデコーダ部１４へ供給する。その後、主制御部１８は、デコーダ部１４からの出力をディスプレイ１７へ出画するように制御する。この時、デコーダ部１４からの出力を３次元変換部２５に入力することによって、外部からの画像を３次元に変換して表示することが可能となる。
【００５２】
このように、本実施形態の映像表示装置１０は、３次元変換機能を有することにより、前述した選局動作中であることを示す映像情報や、ＥＰＧ、データ放送のコンテンツなどの各種映像情報を３次元変換してディスプレイ１７に表示することができる。この３次元変換処理は、公知の技術を用いて実現することができ、ここでの詳細の説明は省略するものとする。
【００５３】
図４は、本発明の他の実施形態に係わる映像表示装置１０の内部構成例を説明するためのブロック図である。本実施形態の映像表示装置１０は、図３に示す構成に加えて、ディスプレイ１７に対する各種設定を可能とする設定情報と、映像情報出力部１９の映像情報とを合成し、合成した情報を画面上に表示出力するためのＯＳＤ処理部１９ｃを映像情報出力部１９内に備えている。リモコン２１又は操作入力部２２に入力された選局指示に従って、映像表示装置１０が選局動作中の間、映像情報出力部１９は、ＯＳＤ処理部１９ｃによって合成された情報をディスプレイ１７の画面上に出力する。
【００５４】
本実施形態の場合、映像情報メモリ１９ａ、又は外部入力Ｉ／Ｆ１９ｂに接続された記録媒体もしくは機器に予め蓄積されている映像情報を上記設定情報に合成してディスプレイ１７に出力することができるため、出画待ち時間の間、ディスプレイ１７に対する各種設定を行うことができる。また、ＯＳＤ処理部１９ｃは、複数の映像情報（例えば、文字と画像など）を合成して表示出力することができるため、さまざまな表示形態が可能となる。
【００５５】
図５は、本発明の他の実施形態に係わる映像表示装置１０の内部構成例を説明するためのブロック図である。本実施形態の映像表示装置１０は、図４に示す構成に加えて、映像情報出力部１９に蓄積されている映像情報をチューナ部１２の選局毎に異なるように設定する映像情報設定部２６を備えているものとする。映像情報出力部１９は、リモコン２１又は操作入力部２２に入力された選局指示に従って映像表示装置１０が選局動作中の間、映像情報設定部２６により設定された設定内容に従って、映像情報メモリ１９ａ又は外部入力Ｉ／Ｆ１９ｂに接続された記録媒体に蓄積されている映像情報をディスプレイ１７に出力することができる。
【００５６】
例えば、映像情報設定部２６は、ユーザからの操作入力に従って、映像情報出力部１９に蓄積されている映像情報と、選局可能なチャンネルとを関連付けて設定することができる。この場合、映像情報出力部１９は、選局時に選局されたチャンネルに応じた映像情報を、映像情報メモリ１９ａ又は外部入力Ｉ／Ｆ１９ｂに接続された記録媒体から選択して出力する。また、別の実施形態として、映像情報設定部２６は、ユーザからの操作入力に従って、映像情報出力部１９に蓄積されている映像情報と、選局順序とを関連付けて設定することができる。この場合、映像情報出力部１９は、選局時に選局された順序に応じた映像情報を、映像情報メモリ１９ａ又は外部入力Ｉ／Ｆ１９ｂに接続された記録媒体から選択して出力する。
【００５７】
本発明によると、画面上に表示させる表示内容を選局毎に変えるようにユーザが設定できる機能を有しているため、選局時に毎回違った画面を表示することが可能となり、ユーザはより多くの情報を取得することができる。
【００５８】
以下、ユーザがチャンネル切り換えを指示し、映像情報出力部１９の映像情報を画面表示させてから、次のチャンネルのコンテンツを表示するまでの間に、映像表示装置１０がユーザに対して提供可能な機能について説明する。
【００５９】
まず、図１乃至図５に基づいて説明した映像表示装置１０において、リモコン２１又は操作入力部２２に入力された選局指示に従って映像表示装置１０が選局動作中の間に、映像情報出力部１９の映像情報をディスプレイ１７に出力した場合、映像情報出力部１９が、ユーザからの操作入力に従って、上記選局動作の終了後も選局対象の映像情報を表示させずに、映像情報出力部１９の映像情報をディスプレイ１７に継続して表示出力する表示継続機能を提供する。この表示継続機能は、例えば、チャンネル切り換え中に表示していた画像を見終えることが出来なかった場合など、ユーザが映像情報出力部１９の映像情報を続けて見たいときに利用される。
【００６０】
また、上記表示継続機能の別の実施形態として、リモコン２１又は操作入力部２２に入力された選局指示に従って映像表示装置１０が選局動作中の間に、映像情報出力部１９の映像情報をディスプレイ１７に出力した場合、映像情報出力部１９が、ユーザからの操作入力に従って、上記選局動作の終了後も選局対象の映像情報を表示させずに、ディスプレイ１７に出力している映像（現在表示中の映像）と異なる映像情報を、映像情報メモリ１９ａ又は外部記録媒体から選択してディスプレイ１７に表示出力するようにしてもよい。この場合、ディスプレイ１７に同じ映像情報を継続表示させるのでなく、現在表示している映像情報を、他のチャンネルのＥＰＧや他のデータ放送のコンテンツなどに更新表示させることができる。
【００６１】
ここで、映像表示装置１０は、上記した他のチャンネルのＥＰＧや他のデータ放送のコンテンツなどの更新表示可能な映像情報が映像情報メモリ１９ａに蓄積されているかどうかをチェックし、その結果、更新表示可能な映像情報が映像情報メモリ１９ａに蓄積されていることが確認されると、現在表示している映像情報を、他のチャンネルのＥＰＧや他のデータ放送のコンテンツなどに更新表示させる。
【００６２】
このように、チャンネル切り換え時において、例えば、ＥＰＧ、データ放送のコンテンツ、３次元表示などの画像を表示した状態で、その画像表示を継続する機能を備えることによって、ユーザは各々の画像から情報を取得して楽しむことができる。さらに、表示画像が新しいものに更新された場合、新しい情報を取得することができる。
【００６３】
また、リモコン２１又は操作入力部２２に入力された選局指示に従って映像表示装置１０が選局動作中の間に、映像情報出力部１９の映像情報をディスプレイ１７に出力した場合、映像情報出力部１９が、ユーザからの操作入力に従って、ディスプレイ１７に出力した映像情報の画面表示をキャンセルする表示キャンセル機能を提供する。これは、チャンネル切り換え中に表示していた映像情報を見る必要がない場合などに、画面表示をキャンセルすることができる。さらに、映像表示装置１０は、画面表示をキャンセルした後に再度画面表示状態に戻る場合、表示可能な映像情報が映像情報メモリ１９ａに蓄積されているかどうかをチェックし、その結果、表示可能な映像情報が映像情報メモリ１９ａに蓄積されていることが確認されると、確認された他のチャンネルのＥＰＧや他のデータ放送のコンテンツなどの映像情報を新たに表示させる。
【００６４】
また、リモコン２１又は操作入力部２２に入力された選局指示に従って映像表示装置１０が選局動作中の間に、映像情報出力部１９の映像情報をディスプレイ１７に出力した場合、映像情報出力部１９が、ユーザからの操作入力に従って、上記選局指示をキャンセルする選局指示キャンセル機能を提供する。この場合、ユーザがチャンネル切り換え指示をキャンセルした時点で、画面上に表示中の映像情報を、元のチャンネル（選局指示前のチャンネル）のコンテンツ表示に切り換える処理を行うので、無駄な待ち時間をなくして、元のチャンネルのコンテンツ表示に素早く戻ることができる。
【００６５】
以下、ユーザがチャンネル切り換えを指示し、映像情報出力部１９の映像情報を画面表示させてから、次のチャンネルのコンテンツを表示するまでの間に、ユーザが新たなチャンネル切り換えを指示した場合に映像表示装置１０がユーザに対して提供可能な機能について説明する。
【００６６】
まず、図１乃至図５に基づいて説明した映像表示装置１０において、リモコン２１又は操作入力部２２に入力された選局指示に従って映像表示装置１０が選局動作中の間に、映像情報出力部１９の映像情報をディスプレイ１７に出力した場合、さらに次の選局指示が入力されると、映像情報出力部１９が、映像情報メモリ１９ａ又は外部入力Ｉ／Ｆ１９ｂに接続された外部記録媒体に蓄積されている映像情報を選択してディスプレイ１７に出力する機能を提供する。この場合、新たな選局指示がされた場合でも、映像情報出力部１９が、映像情報メモリ１９ａ又は外部入力Ｉ／Ｆ１９ｂに接続された外部記録媒体に蓄積されている映像情報を選択してディスプレイ１７に出力することができるため、ユーザは、選局の度に、同じ又は異なる映像情報を画面表示させることが可能となる。
【００６７】
また、リモコン２１又は操作入力部２２に入力された選局指示に従って映像表示装置１０が選局動作中の間に、映像情報出力部１９の映像情報をディスプレイ１７に出力した場合、さらに次の選局指示が入力されると、映像情報出力部１９が、ディスプレイ１７に現在出力されている映像情報が出力される前に選局され且つ表示されていた映像情報をディスプレイ１７に出力する機能を提供するようにしてもよい。この場合、上記映像情報を映像情報メモリ１９ａに予め蓄積しておくようにする。
【００６８】
このように、チャンネル切り換え時に、例えば、ＥＰＧ，データ放送のコンテンツ，３次元表示などの映像情報を表示した状態で、ユーザが新たに他のチャンネル切り換え指示した場合に発生する新たな出画待ち時間に各々の画像表示が可能となり、この出画待ち時間を有効利用することができる。あるいは、選局指示前の元チャンネルのコンテンツを表示することができるので、新たに発生する出画待ち時間を有効利用することができる。
【００６９】
以下、映像表示装置１０の表示やユーザインタフェイスに関し、ユーザに対して提供可能な機能について説明する。
まず、３次元変換部２５において、チューナ部１２の選局動作に応じた映像情報と、その選局動作の直前に選局された映像情報とに対して、ディスプレイ１７における表示形態が異なるように３次元変換を行う機能を提供する。
【００７０】
本実施形態の映像表示装置１０は、チャンネル切り換え時の表示方法を改善するために、例えば、３次元変換部２５が、チャンネル切り換え前の映像を徐々に小さくなるよう３次元変換処理し、チャンネル切り換え後の映像（すなわち、上記選局動作に応じた映像）を徐々に大きくなるように３次元変換処理を行う。さらに、それらをディスプレイ１７へ表示出力する。このように、３次元表示により立体的なチャンネル切り換え状況を表示することが可能となり、ディスプレイの画面サイズが小さい場合でも、３次元表示によって直感的にチャンネル切り換えの状況を把握することができる。
【００７１】
これは、特にディスプレイの画面サイズが小さい場合、平面的な表示画像の大小によってチャンネル切り換えの状況を表示しても時間的な前後関係の区別がつきにくかった。しかし、３次元変換処理することで表示画像の大小だけでなく、時間軸との対応がとれるので、直感的にチャンネル切り換えの状況を把握することができる。
【００７２】
また、映像情報出力部１９は、リモコン２１又は操作入力部２２に入力された選局指示に従って映像表示装置１０が選局動作中の間、映像情報出力部１９に蓄積されている映像情報を壁紙としてディスプレイ１７に表示出力する機能を提供する。この場合、映像情報出力部１９に蓄積されている映像情報を、他の映像情報の背景（壁紙）として利用することができるので、例えば、ＥＰＧ、データ放送のコンテンツ、３次元画像等の各映像情報と組み合わせて表示することが可能となる。
【００７３】
また、映像表示装置１０は、選局時に選局可能なチャンネルの一覧をディスプレイ１７の画面上に表示し、その画面上に表示したチャンネル一覧の中からユーザが所望のチャンネルにカーソルを合わせた時点で、当該チャンネルの選局指示が入力され、入力された選局指示に応じてチューナ部１２が選局動作を開始する機能を提供する。この場合、ユーザがＥＰＧ表示画面上のチャンネルにカーソルを合わせた時点で、チャンネル切り換え動作が開始されるため、チャンネル切り換えの待ち時間を短縮することができる。
【００７４】
また、チューナ部１２が選局動作を開始すると同時に、映像情報出力部１９が、選局動作が開始されたチャンネルのＥＰＧ番組詳細情報をディスプレイ１７の画面上に出力する機能を提供する。さらに、前述した画面表示に関する各機能（表示継続機能、表示キャンセル機能など）を用いることによって、チャンネル切り換え後、選局した番組画面や、ＥＰＧの番組詳細情報画面からカーソル選択画面（チャンネル一覧画面）へ戻ることができ、ＥＰＧを利用しながら次のチャンネルを容易に決定することができる。
【００７５】
このように、チャンネル切り換え動作と共に、番組詳細を表示することによって、チャンネル切り換えの待ち時間の短縮が可能となると共に、待ち時間内で番組に関する詳細な情報を得ることができる。さらに、画面表示を継続（続行）する機能、画面表示をキャンセルする機能などを併用することで、チャンネル切り換えによる出画待ち時間を、ＥＰＧによる選局のための有効な時間として活用することができる。
【００７６】
図６は、本発明が適用される映像表示装置１０の処理フローについて説明するためのフロー図である。まず、映像表示装置１０は、選局中のチャンネルに応じたコンテンツを画面上に表示させ（ステップＳ１）、リモコン２１又は操作入力部２２から選局指示の入力があったかどうか判断し（ステップＳ２）、選局指示がない場合（ＮＯの場合）、ステップＳ１に戻り選局指示の待機状態となる。また、上記ステップＳ２において、選局指示があった場合（ＹＥＳの場合）、選局動作に伴う出画待ち時間に表示する画像を映像情報メモリ１９ａからチェックする（ステップＳ３）。
【００７７】
上記ステップＳ３において、選局動作に伴う出画待ち時間に表示する画像を映像情報メモリ１９ａからチェックする場合（ＹＥＳの場合）、チェックした画像を映像情報メモリ１９ａから抽出して画面上に表示する（ステップＳ４）。また、上記ステップＳ３において、選局動作に伴う出画待ち時間に表示する画像を映像情報メモリ１９ａからチェックしない場合（ＮＯの場合）、別の画像を選択する（ステップＳ５）。
【００７８】
次に、映像表示装置１０は、ユーザからの操作指示に従って、上記ステップＳ２における選局指示をキャンセルするかどうか判断し（ステップＳ６）、選局指示をキャンセルしない場合（ＮＯの場合）、ユーザからの操作指示に従って、新たな選局指示があったかどうか判断する（ステップＳ７）。また、上記ステップＳ６において、選局指示をキャンセルした場合（ＹＥＳの場合）、上記ステップＳ１に戻り、直前までに表示していたチャンネルのコンテンツを表示する。
【００７９】
次に、映像表示装置１０は、上記ステップＳ７において、新たな選局指示がないと判断した場合（ＮＯの場合）、ユーザからの操作指示に従って、現在の画像表示をキャンセルするかどうか判断する（ステップＳ８）。また、上記ステップＳ７において、新たな選局指示があった場合（ＹＥＳの場合）、上記ステップＳ３に戻り、新たな選局動作に伴う出画待ち時間に表示する画像を映像情報メモリ１９ａからチェックする。
【００８０】
次に、映像表示装置１０は、上記ステップＳ８において、現在の画像表示をキャンセルしないと判断した場合（ＮＯの場合）、ユーザからの操作指示に従って、現在の画像表示を続行するかどうか判断する（ステップＳ９）。また、上記ステップＳ８において、現在の画像表示をキャンセルする場合（ＹＥＳの場合）、上記ステップＳ３に戻り、出画待ち時間に表示する新たな画像を映像情報メモリ１９ａからチェックする。
【００８１】
次に、映像表示装置１０は、上記ステップＳ９において、現在の画像表示を続行しないと判断した場合（ＮＯの場合）、ユーザからの操作指示に従って、現在の画像表示をホールド（継続表示）するかどうか判断する（ステップＳ１０）。また、上記ステップＳ９において、現在の画像表示を続行する場合（ＹＥＳの場合）、上記ステップＳ３に戻り、出画待ち時間に表示する新たな画像を映像情報メモリ１９ａからチェックする。
【００８２】
次に、映像表示装置１０は、上記ステップＳ１０において、現在の画像表示をホールドすると判断した場合（ＹＥＳの場合）、画像表示を継続して行う（ステップＳ１１）。また、上記ステップＳ１０において、現在の画像表示をホールドしないと判断した場合（ＮＯの場合）、上記ステップＳ２において入力された選局指示に応じて次のチャンネルのコンテンツを画面上に表示する（ステップＳ１２）。
【００８３】
図７は、映像表示装置１０にＥＰＧを表示した場合の画面遷移例を示す図である。映像表示装置１０は、図７（Ａ）に示すチャンネル一覧画面３１を画面上に表示させた状態で、ユーザが所望のチャンネル（本例では選局番号２）にカーソルを合わせると、図７（Ｂ）に示すカーソル選択画面３２に画面が遷移する。ユーザが「選局番号２」にカーソルを合わせた時点で選局動作が開始される。本例の場合、「選局番号２」に応じたチャンネルの選局動作が開始されると共に、出画待ち時間の間、図７（Ｃ）に示すように、映像情報メモリ１９ａに蓄積されているＥＰＧ番組詳細画面３３が表示され、出画待ち時間が経過した後に、図７（Ｄ）に示すように、「選局番号２」に応じたチャンネルのコンテンツ画面３４が表示される。
【００８４】
図７において、映像表示装置１０が備えている表示継続（続行）機能や、表示キャンセル機能を利用することにより、コンテンツ画面３４や、ＥＰＧ番組詳細画面３３からカーソル選択画面３２に戻ることができるため、ＥＰＧを利用しながら次のチャンネルを決定することができる。
【００８５】
図８は、映像表示装置１０が選局動作中であることを示す映像情報の表示画面の一例を示す図である。図８（Ａ）は、映像情報メモリ１９ａ内から選局動作中であることを示す「選局動作中」の文字列と、映像表示装置１０が格納する日時情報から現在時刻に関する情報とが読み出されて、ＯＳＤ処理部１９ｃが「現在は１４時２０分１５秒です」の現在時刻を示す文字列を生成して画面表示した場合について示している。ここで、画面表示される現在時刻は、適当な周期で繰り返し起動されることにより、随時更新されていく。
【００８６】
図８（Ｂ）は、図８（Ａ）に示す現在時刻の代わりに、映像表示装置１０が格納する日時情報から本日の日付に関する情報が読み出されて、ＯＳＤ処理部１９ｃが「本日は平成１４年８月１０日です」の年月日を示す文字列を生成して画面表示した場合について示している。ここで、本日の日付のみではなく、映像表示装置１０に格納されているカレンダー情報を表示させるようにしてもよい。
【００８７】
また、図８（Ｃ）は、選局動作の残り時間（又は経過時間）を時間バー形式で表示した一例を示すもので、映像表示装置１０が格納する時計情報から、選局動作の残り予測時間を算出して、残り時間を示す「残り時間バー」と共に、「残り時間２秒」などの文字列を合成して、画面表示したものである。ここで、画面表示する残り時間は、適当な周期で繰り返して起動されることにより、随時更新されていく。
【００８８】
また、図８（Ｄ）は、映像情報メモリ１９ａに予め蓄積されているか、あるいは、外部入力Ｉ／Ｆ１９ｂに接続された記録媒体や機器から読み込まれたスケジュールを「私のスケジュール」として一覧表示させた例について示したものである。尚、スケジュールを一覧表示して確認中の間に、選局処理が終了して「選局動作中」画面が番組のコンテンツ画面に切り換えられ、スケジュール一覧が画面表示されなくなることを防止するために、映像表示装置１０は、ユーザからの操作入力に従って、スケジュール一覧について画面表示の継続を可能とする形態としてもよく、あるいは、スケジュール一覧をサブ画面として表示可能とする２画面表示に切り換える形態としてもよい。
【００８９】
また、図８（Ｅ）は、映像情報メモリ１９ａに予め蓄積されているカラーパターン画像、例えば、液晶ディスプレイの画質調整に用いられるカラーパターン画像を選局動作中の時間帯に表示させた例について示したもので、また、図８（Ｆ）は、映像情報メモリ１９ａに予め蓄積されているか、あるいは、外部入力Ｉ／Ｆ１９ｂに接続された記録媒体や機器から読み込まれた映像情報を選局動作中の時間帯に表示させた例について示したものである。
【００９０】
図９は、映像表示装置１０にＥＰＧを３次元表示した場合の画面遷移例を示す図である。図９（Ａ）は、チャンネル毎の番組一覧画面３５を画面上に表示させた状態を示し、現在選局されている番組が３次元で立体的に表示されている。また、図９（Ｂ）は、次に選局する番組「プレーバック・・・」を３次元で立体的に表示させた番組一覧画面３６の状態を示している。本例の場合、番組として「プレーバック・・・」の選局動作が開始されると共に、出画待ち時間の間、図９（Ｃ）に示すように、映像情報メモリ１９ａに蓄積されているＥＰＧ番組詳細画面３７が表示され、出画待ち時間が経過した後に、図９（Ｄ）に示すように、「プレーバック・・・」に応じた番組のコンテンツ画面３８が表示される。
【００９１】
図１０は、本発明に係わる映像表示装置１０の外観の一例について示した図である。本映像表示装置１０は、デジタル放送受信機能及び液晶表示機能を備えた携帯端末装置に適用した例について示したもので、３次元変換部２５を用いて３次元画像を表示させた状態を示している。但し、図中では３次元画像を強調した表示となっているが、実際には画面から奥行き方向に立体表示される。
【００９２】
図１０に示すように、本実施形態の映像表示装置１０は、図１乃至図５において説明したように、映像情報を表示するためのディスプレイ１７と、メモリカード２７を着脱可能に接続するための外部入力Ｉ／Ｆ１９ｂと、各種操作を行うための操作入力部２２とを有している。また、本実施形態では、携帯端末装置としての使用形態を考慮して、ヘッドホン２８が接続されており、外出先において場所を選ばずに番組の視聴が可能となる。尚、映像表示装置１０は、上記した携帯端末装置に限らず、車載端末装置であってもよい。
【００９３】
本実施形態の映像表示装置１０は、携帯端末装置として小型、軽量化を実現しているため、自宅等の屋内以外に、例えば、自動車や電車での移動中や、屋外でも番組の視聴を楽しむことができるモバイル放送（衛星デジタル放送の一種）用の端末装置として使用することができる。
【産業上の利用可能性】
【００９４】
以上のように、本発明に係わる映像表示装置は、デジタル放送等のテレビジョン受信機能を備えた映像表示装置全般に適用することができるが、特に、画面サイズの小さい携帯端末装置に好適である。
【図面の簡単な説明】
【００９５】
【図１】本発明の一実施形態に係わる映像表示装置の内部構成例を説明するためのブロック図である。
【図２】本発明の他の実施形態に係わる映像表示装置の内部構成例を説明するためのブロック図である。
【図３】本発明の他の実施形態に係わる映像表示装置の内部構成例を説明するためのブロック図である。
【図４】本発明の他の実施形態に係わる映像表示装置の内部構成例を説明するためのブロック図である。
【図５】本発明の他の実施形態に係わる映像表示装置の内部構成例を説明するためのブロック図である。
【図６】本発明が適用される映像表示装置の処理フローについて説明するためのフロー図である。
【図７】映像表示装置にＥＰＧを表示した場合の画面遷移例を示す図である。
【図８】映像表示装置が選局動作中であることを示す映像情報の表示画面の一例を示す図である。
【図９】映像表示装置にＥＰＧを３次元表示した場合の画面遷移例を示す図である。
【図１０】本発明に係わる映像表示装置の外観の一例について示した図である。
【符号の説明】
【００９６】
１０…映像表示装置、１１…アンテナ、１２…チューナ部、１３…Ａ／Ｄ変換部、１４…デコーダ部、１５…セレクタ部、１６…Ｄ／Ａ変換部、１７…ディスプレイ、１８…主制御部、１８ａ…ＣＰＵ、１８ｂ…メモリ、１９…映像情報出力部、１９ａ…映像情報メモリ、１９ｂ…外部入力Ｉ／Ｆ、１９ｃ…ＯＳＤ処理部、２０…受光部、２１…リモコン、２２…操作入力部、２３…音声情報出力部、２３ａ…音声情報メモリ、２４…スピーカ、２５…３次元変換部、２６…映像情報設定部、２７…メモリカード、２８…ヘッドホン、３１…チャンネル一覧画面、３２…カーソル選択画面、３３，３７…ＥＰＧ番組詳細画面、３４，３８…コンテンツ画面、３５，３６…番組一覧画面。
【図１】
2005101680.tif 000003
【図２】
2005101680.tif 000004
【図３】
2005101680.tif 000005
【図４】
2005101680.tif 000006
【図５】
2005101680.tif 000007
【図６】
2005101680.tif 000008
【図７】
2005101680.tif 000009
【図８】
2005101680.tif 000010
【図９】
2005101680.tif 000011
【図１０】
2005101680.tif 000012